(57)【特許請求の範囲】
【請求項１】
２以上の光学モジュールを収容するハウジングを有する道路照明器具であって、前記光学モジュールが反射器内に配置された細長の光源を有しており、前記反射器が、向かい合う湾曲した縦方向壁及び向かい合う湾曲した端壁を有し、前記端壁が、前記光源が位置している平面に対して９０°以下の角度で配向されており、２以上の光学モジュールが互いに異なる形状の湾曲した縦方向壁を有している、照明器具。
【請求項２】
前記２以上の光学モジュールが、少なくとも実質的に等しい形状の端壁を有している、請求項１記載の照明器具。
【請求項３】
前記光源が複数のＬＥＤを有している、請求項１記載の照明器具。
【請求項４】
前記２以上の光学モジュールが、反対方向の光学軸を有している、請求項１記載の照明器具。
【請求項５】
前記縦方向壁の内の少なくとも１つが反射性クリップ素子を含んでいる、請求項１記載の照明器具。
【請求項６】
前記向かい合う縦方向壁が水平及び垂直の各々の方向に湾曲している、請求項１記載の照明器具。
【請求項７】
前記縦方向壁が前記端壁よりも長い、請求項１記載の照明器具。
【請求項８】
前記縦方向壁の各々が、前記光源が位置している平面に対して９０°未満の角度で配向されている、請求項１記載の照明器具。
【請求項９】
前記縦方向壁の各々が、前記光源が位置している平面に対して９０°以上の角度で配向されている、請求項１記載の照明器具。
【請求項１０】
電子回路モジュール及び少なくとも１つの光学モジュールを収容するハウジングを含む道路照明器具であって、
前記光学モジュールが、複数の発光ダイオード（ＬＥＤ）を含む印刷回路板（ＰＣＢ）と、前記印刷回路板を取り囲む反射器とを有しており、前記複数の発光ダイオードが３以上のアレイに分けて配列されて、その内の第１のアレイが前記ＰＣＢの第１の端に隣接して配置され、第２のアレイが前記ＰＣＢの第２の端に隣接して配置され、第３のアレイが前記第１及び第２のアレイの間に配置されており、隣接するアレイのＬＥＤ間の距離が各々のアレイにおける隣接ＬＥＤ間の距離よりも大きい、道路照明器具。
【請求項１１】
前記第３のアレイによって放出された光の少なくとも約４０％が非反射光として前記ハウジングを出て行く、請求項１０記載の照明器具。
【請求項１２】
前記第１及び第２のアレイによって放出された光の少なくとも５０％が反射光として前記ハウジングを出て行く、請求項１１記載の照明器具。
【請求項１３】
前記第１及び第２のアレイによって放出された光の約１％〜約２５％が非反射光として前記ハウジングを出て行く、請求項１２の照明器具。
【請求項１４】
２以上の光学モジュールを有している請求項１３記載の照明器具。
【請求項１５】
２以上の光学モジュールを収容するハウジング有する道路照明器具であって、前記光学モジュールが反射器内に配置された複数の発光ダイオードを有しており、前記反射器が、向かい合う湾曲した側壁及び向かい合う湾曲した端壁を有していて、側壁が互いに異なる曲率を有しており、前記端壁が水平方向及び垂直方向に湾曲している、照明器具。
【請求項１６】
前記側壁が実質的に下方及び前方照明パターンを提供する、請求項１５記載の照明器具。
【請求項１７】
前記照明器具が、実質的に等しい側壁及び端壁を有する２つの光学モジュールを含んでおり、各々の光学モジュールが主光学軸を有していて、前記２つの光学モジュールの光学軸が反対向きである、請求項１５記載の照明器具。
【発明の詳細な説明】
【技術分野】
【０００１】
本発明は、一般的に云えば、照明器具に関し、より詳しく云えば、地面上に光の様々なパターンを分布させるための屋外照明器具に関するものである。これらの照明器具は、道路、駐車場、歩道、自転車通路を含む地域照明、又は他の同様な用途に使用することができる。
【背景技術】
【０００２】
一般に、道路照明器具は、ランプ又は他の光源と、レンズと、光源からの光を屈折及び／又は反射するための反射器とで構成される。典型的には、反射器、レンズ及び任意の遮蔽体が、光分布パターンを画成する。
【０００３】
幹線道路及び一般道路の照明には、伝統的には白熱ランプが用いられ、より最近では高輝度放電（ＨＩＤ）ランプが用いられており、これらのランプは適切な量の光を供給するが、幾つかの欠点があり、例えば、ランプの故障が多く、また道路表面の照明分布が余りよくない。白熱ランプ及びＨＩＤランプは全方向光源であり、光の制御が比較的悪く、その結果、利用性が低い。制御されていない光は、光を必要としていない道路（及び、場合によっては、歩道）周辺の区域を無駄に照明することがあり、また夜間環境の保護を妨害する虞のある不法な光の侵入及び光公害を招く。
【０００４】
発光ダイオード（ＬＥＤ）のような光源の品質及びエネルギ効率が改善されるにつれて、それらの生産コストが低下している。その結果、ＬＥＤは屋外照明用途に普通に用いられるようになっている。ＬＥＤを照明器具を取り入れる初期の努力は、ＬＥＤを従来の照明器具の中に組み込むか、或いは従来の照明器具の形状に合わせて改造していた。
【０００５】
ＬＥＤは、目標の照明を達成するのに有効な手段を提供する。しかしながら、照明器具パッケージを注意深く設計することが必要である。光エネルギは、距離の関数として所与の区域にわたって広がる。従って、遠隔区域の照明は、光源からの距離の自乗に反比例して変化する。更に、照明器具が比較的大きな目標区域へ光を差し向けるので、光源は、照明すべき区域よりも遙かに小さい。従って、各照明器具によって発生される輝度は、かなりの区域をカバーするために比較的強くなければならない。
【０００６】
図１Ａ〜図１Ｇは、様々なタイプの道路照明パターンを示す。これらのパターンは、様々な状態の効果的な照明を提供するように設計されている。更に、道路照明器具は、数例の代表的な要件を挙げると、１車線又は数車線の道路を照明できるようにすべきであり、また様々な支柱間隔に対処すべきであり、また歩道の後方照明を行うことを要求されることがある。北米照明工学協会（ＩＥＳＮＡ）は照明についての公認の技術機関であり、５つの主要なタイプの道路照明について仕様を発行している。
【０００７】
分類タイプは、道路側の横方向（道路を横切る方向）取付け高さに対する半値等カンデラ線(half maximun iso-candella line)によって規定される。これは、縦方向（道路に沿った方向）能力とは無関係であり、それは縦方向取付け高さに対する投射最大カンデラの関係によって規定される。タイプの分類は、分布の前方投射量を表し、一般に、車線の数又は到達範囲の距離と同等と見なすことができる。
【０００８】
タイプ１の照明は、図１Ａに示されているように、道路の方向に沿った２方向の直接照明であり（この場合、ランプ支柱は反対向きの交通の流れの間の中間に取り付けることができる）及び／又は図１Ｂに示されているように断面において直線方向のパターンである。図１Ｃは、交差点全体を横切る全方向照明パターンを示す。図１Ｄは、法線に対して或る角度で（非対称に）２つの方向の何れかに光を差し向ける照明器具を示し、また図１Ｅでは４つの方向の場合を示し、これらはタイプ２の照明である。図１Ｆのタイプ３の照明は、タイプ２の照明（図１Ｄ）と比べて法線からのより大きな角度の照明を示す。タイプ４の照明（図１Ｇ）は法線からの更に広い角度の照明を持つ。前に述べたように、これらの照明パターンは、様々な用途状態の照明をもたらすために望ましい。
【０００９】
照明設計者にとって別の問題が存在する。先ず第１に、離れた目標区域において所与の光レベルを維持するために、光源は高レベルの光度を生じなければならない。これにより、照明器具を見る者にとって眩光の問題が生じることがある。溢れた眩しい光は効率の悪い光の使用であり、またしばしば不快さを生じるさせることがある。この溢光は主にエネルギの浪費であり、従って最小にすべきである。しかし、幾分かの制御された溢光は、強度勾配のある光を提供して道路の周辺を照らすために必要である。溢光は広範囲の照明区域を生じさせ、これは実際の道路を周囲の区域から区別し難くする。更に、多くの用途では、制御が行われていないと、より多数の支柱及び照明器具を利用することが必要になり、その結果、費用がかかり且つかなりの資源を消費することになる。
【００１０】
多種多様な光分布パターンを提供する適応性のある照明装置を提供することは、光の精密な制御が可能になる。本発明の１つの利点は、適応性のあるモジュール式照明器具を提供することによって、殆ど任意の区域を適切に照明するのに適当な光分布及び配向を持つ照明器具モジュールを容易に選択することができることである。
【発明の概要】
【００１１】
第１の実施形態によれば、道路照明器具が提供される。この照明器具は、電子回路モジュール及び少なくとも１つの光学モジュールを収容するハウジングを有する。前記光学モジュールは、反射器内に配置された少なくとも１つの光源を含む。前記反射器は、向かい合う湾曲した縦方向壁及び向かい合う湾曲した端壁を含む。
【００１２】
第２の実施形態によれば、道路照明器具が提供される。この照明器具は、少なくとも１つの光学モジュールを収容するハウジングを含む。前記光学モジュールは、複数の発光ダイオードを含む印刷回路板（ＰＣＢ）と、前記印刷回路板を取り囲む反射器とを有する。前記複数の発光ダイオードは少なくとも３つのアレイに分けて配列され、その内の第１のアレイは前記ＰＣＢの第１の端に隣接して配置され、第２のアレイは前記ＰＣＢの第２の端に隣接して配置され、また第３のアレイは前記第１及び第２のアレイの間に配置される。
【００１３】
第３の実施形態によれば、道路照明器具が提供される。この照明器具は、少なくとも２つの光学モジュールを収容するハウジングを含む。前記光学モジュールは、反射器内に配置された複数の発光ダイオードを持つ。前記反射器は、向かい合う湾曲した側壁及び向かい合う湾曲した端壁を持つ。
【図面の簡単な説明】
【００１４】
【図１Ａ】図１Ａは、一タイプの道路照明パターンを示す概略図である。
【図１Ｂ】図１Ｂは、別のタイプの道路照明パターンを示す概略図である。
【図１Ｃ】図１Ｃは、別のタイプの道路照明パターンを示す概略図である。
【図１Ｄ】図１Ｄは、別のタイプの道路照明パターンを示す概略図である。
【図１Ｅ】図１Ｅは、別のタイプの道路照明パターンを示す概略図である。
【図１Ｆ】図１Ｆは、別のタイプの道路照明パターンを示す概略図である。
【図１Ｇ】図１Ｇは、別のタイプの道路照明パターンを示す概略図である。
【図２】図２は、道路照明器具の斜視図である。
【図３】図３は、単一のランプ・モジュールの斜視図である。
【図４Ａ】図４Ａは、４つの異なる反射器形状の内の１つを示す横方向断面図である。
【図４Ｂ】図４Ｂは、４つの異なる反射器形状の内の別の１つを示す横方向断面図である。
【図４Ｃ】図４Ｃは、４つの異なる反射器形状の内の別の１つを示す横方向断面図である。
【図４Ｄ】図４Ｄは、４つの異なる反射器形状の内の別の１つを示す横方向断面図である。
【図５】図５は、長い支柱間隔環境に適した反射器を例示する縦方向断面図である。
【図６】図６は、短い支柱間隔環境に適した反射器を例示する縦方向断面図である。
【図７】図７は、４モジュール照明器具設計の側断面図である。
【図８】図８は、図７の１つの光源モジュールの配向を逆にして達成される照明器具の適応能力を実証する側断面図である。
【図９】図９は、後方照明を達成するように設計された反射性クリップの断面図である。
【発明を実施するための形態】
【００１５】
ＬＥＤ道路照明器具はそれらの利用率（ＣＵ）によって評価することができる。所与の大きさのルーメンで、ＬＥＤ照明器具は、必要とされる場所に光を正確に差し向け且つ上方への又は周囲区域内での光を殆ど無駄にしないことが望ましい。本発明による照明器具は、特に良好に制御された光分布を持つと共に優れたＣＵを持つ。
【００１６】
また、限られた数の必要な構成部品により様々な照明要件に対処することのできる非常に適応性のある照明器具を提供することも望ましい。本発明による道路照明器具はモジュール式システムであって、最少数の交換可能な構成部品を用いて最大の設計融通性を与える。必要な構成部品の数が少ないことにより、サプライ・チェーンの保守管理が容易になり且つ顧客に対するリード・タイム(lead time) が短くなる。
【００１７】
このことに関連して、本発明による照明器具は、１つ以上の光学モジュールを含むように設計される。１つ乃至４つのモジュールが殆どの用途にとって充分であると考えられる。各光学モジュールは、印刷回路板上に配置された複数のＬＥＤを取り囲む反射器を有することができる。
【００１８】
ＬＥＤが本発明の主な焦点であるが、蛍光ランプ又は蛍光ストリップ素子も同様な機能を与えることができると考えられる。更に、殆どの実施形態は細長の光源を用いるが、これは２つのＬＥＤで構成することができる。本システムは、様々な照明レベルを提供するために印刷回路板上に装着した複数のＬＥＤを持つことができる。更に、多レベルのＬＥＤ装着印刷回路板を利用できると考えられるが、しかしながら、印刷回路板は共通の寸法及び形状にして、利用可能な様々な種類の反射器に適合可能にすることが好ましい。そのことに関連して、本システムは、様々な光分布パターンを提供するように設計された複数の反射器を構成部品として含むことができる。例えば、反射器は、選択的な量の前方方向の光及び選択的な量の横方向の光を提供するように設計することができる。この点に関連して、照明しようとする道路の車線の数及び支柱間の距離に応じて適当な反射器を選択することができる。模範的なモジュール式システムは、最大６つまでの異なる反射器設計を提供することができる。
【００１９】
次に、図２について説明すると、大体コブラ頭部の形状の照明器具１０がランプ支柱１２上に示されている。照明器具１０はハウジング１４を有し、該ハウジングは、光学モジュール室１８の中に接近するための第１のドア１６、及び電子回路モジュール室の中に接近するための第２のドア２０を含む。
【００２０】
照明器具の一構成部品として示されている電子回路モジュールは、遠隔に配置することが考えられ、更に、電子回路モジュールの重要な機能は、ＬＥＤを使用するためにＡＣをＤＣへ変換し調整することである。電子回路モジュールはこの機能を行うために照明器具内に存在する必要なない。同様に、ＡＣ電流で動作するＬＥＤがあれば、電子回路モジュールを設ける必要性はなくなる。
【００２１】
ドア１６には透明な又は半透明のカバー２４が付設される。半透明のカバー２４は、プラスチック、ＡＲ被覆ガラス、枕状光学素子を含むガラス、モールド成形ガラス、及びエッチング又は他の光拡散材料を含む窓ガラスで構成することができる。ドア２０には複数の放熱フィン２６が付設される。しかしながら、複数の放熱フィンは不可欠な要素ではないことに留意されたい。光学モジュール３０が光モジュール室１８内に配置される。
【００２２】
次に図３について説明すると、光学モジュール３０は、その上に複数のＬＥＤ３４が配置された印刷回路板３２（ＰＣＢ）を含む細長の光源を有する。複数のＬＥＤ３４は３つのアレイ、すなわち、第１のアレイ３６、中央のアレイ３８及び第３のアレイ（図に示されていない）に分けて配列される。アレイの数、ＬＥＤ数、及び設計は変えることができる。更に、本発明では、アレイが１つ又は複数のＬＥＤを有することが考えられる。僅か２つであるとき、１つのＬＥＤのアレイを用いることができる。しかしながら、照明器具内に設けられた電気的又は機械的接続に影響を与えることなく、光学的配向を逆転させることのできる対称アレイ設計を提供することが望ましいことがある。更に、組み立ての容易さを改善することができる。ＰＣＢ３２は反射性の表面又はカバーを持ち且つ反射器４２の光学軸４０に配置されることが好ましい。
【００２３】
反射器４２は、向かい合う細長の湾曲した縦方向の側壁４４及び４６と、向かい合う湾曲した端壁４８及び５０とを含む。通常は、側壁は凹面である。更に、側壁は、典型的には、縦方向に真っ直ぐである。
【００２４】
重要なことは、用語「湾曲」が、連続して湾曲していることを意図していないことに留意されたい。むしろ、湾曲は、反射器壁が互いに対して角度を成した少なくとも２つの平面状セグメントを持つことを包含するものとする。図２の端壁４８及び５０はこの設計を図示しており、この場合、複数のセグメントが互いに対して角度を成して配置されて、全体の側方曲率を形成する。同様に、反射器壁は、１つ以上の湾曲部分が散在している複数の平面状部分を持つことができると考えられる。更に、曲率の程度は壁の範囲全体にわたって変化させることができると考えられる。
【００２５】
端壁４８及び５０は向かい合う湾曲した表面とすることができる。また更に、これらの端壁は共に、横方向に（水平方向に）及び上下方向に（垂直方向に）曲面を有することができる。以下により詳しく説明するように、反射器の設計は、非反射直接光成分及び反射光成分を供給するように選択される。この態様では、直接光は、主に支柱に取り付けられた照明器具の下方の地面に供給し、且つ反射光は前方、後方及び横方向に供給することができる。ここで、手短に云えば、直接光及び反射光の様々な組合せを本発明の照明器具設計によって供給することができることに留意されたい。同様に、様々な表面から反射される光が本発明の光学モジュールから放出されることに留意されたい。
【００２６】
端壁及び細長の側壁は協働して、支柱の合間を狙った高い角度の光からさえもビームの横断方向の制御を全体的に維持する。各端部から集束し、次いで拡散するビームを生成することによって、高い角度のエネルギが、完全な機械的遮断と共に小さい形状係数で達成される。このことに関連して、光学モジュールを出る光が道路方向及び横方向の両方において制御されるので、端壁及び側壁は協働して光の線形制御を行う。例えば、端壁から反射され且つ実質的に道路から横方向に差し向けられた光が、縦方向側壁反射器によって拡散しないように拘束される。
【００２７】
反射器は、複数の協働する部品で形成することができる。それは、高反射性材料で形成し及び／又は高反射性被覆を含むことが好ましい。反射器は、モールド成形、ダイカスト鋳造又は打ち抜き加工により、シート材料又は別の材料又は複数の材料の組合せから形成することができると考えられる。手短に云えば、この反射器製作のプロセスは制限であるとは見なされない。しかしながら、反射器製作方法が多種多様である事実は、経済的な利点をもたらす。
【００２８】
次に図４Ａ〜図４Ｄについて説明すると、図から分かるように、縦方向側壁４４及び４６の各々は横断面において垂直方向に湾曲した形状を持つ。図示の様々な光の軌跡は、かなりの量（例えば、〜５０％）の直接光がＰＣＢ３２の平面状配向に対して法線方向に又は約４０°以内の方向に反射器４２を出て行くことを実例表示している。更に、予め設計された量の前方又は後方への光を供給するために、側壁４４及び４６の各々から或る量の光が反射される。照明器具の光分布を修正するために、湾曲した壁の形状を修正することができる。更に、壁４６は印刷回路板に対して角度αを持ち、これにより光モジュールの前方光分布を変えることができる。この角度は、ＰＣＢを支持する表面と壁との係合点Ｘから壁の終端点Ｙを通って延在する線によって規定される壁の全体的な傾斜に基づいて計算される。この規定は相対的なものである。と云うのは、前に述べたように、反射器壁の曲率がその長さに沿って変動することがあるからである。例えば、図４Ａでは、αは約１２５°に等しく、光モジュールの直ぐ下方に比較的高い密度の光分布を提供する。次に図４Ｂについて説明すると、αが約１３５°の場合を示しており、前方方向に複数のＬＥＤから直接に出て行く非反射光が増大するので、付加的な前方分布が達成される。次いで図４Ｃ及び図４Ｄについて説明すると、角度αが更に（それぞれ、１４３°及び１４５°に）増加した場合に、ＰＣＢの複数のＬＥＤからの非反射光の前方投射が増大することが表示されている。この態様では、道路の縁に隣接したランプ支柱から離れた道路表面上に光を更に投射することができる。また更に、図４Ｃ及び図４Ｄの壁４６を比較すると明らかなように、曲率を変更すると、壁４６から反射される（一回の反射及び複数回の反射の両方の）光の分布を変更することができる。
【００２９】
次いで縦方向側壁４４について説明すると、角度β（壁４４とＰＣＢの平面状配向との間の角度）を変更することにより、前方へ差し向けられる光を増大させることもできる。より詳しく述べると、角度βを狭めることにより、複数のＬＥＤによって発生された光の前方方向の反射率が大きくなる。例えば、図４Ａでは、βは約１１０°であり、これに対し図４Ｄでは、βは９０°未満である。光の軌跡は、図４Ｄの設計により前方への光が増大したことを示している。一般に、図４Ａの反射器は１車線の道路に適しており、図４Ｂの反射器は２車線の道路に適しており、図４Ｃの反射器は３車線の道路に適しており、また図４Ｄの反射器は４車線の道路に適していると云うことができる。
【００３０】
次に図５及び図６について説明すると、端壁４８及び５０の機能が表示されている。また、図５では、端壁４８及び５０は、印刷回路板に対して約７５°の角度φを持ち、これにより、実質的に隣接のランプ支柱へ向かって縦方向に又は横方向に（特に端部のＬＥＤアレイ３６及び３７からの）予め選択された量の反射光を供給する。再び、角度は、湾曲した反射器壁の第１及び第２の端の間に延在する線とＬＥＤアレイの平面状配向との間に決定される。図６について説明すると、φは約７０°であり、これにより、縦方向の光の反射を増大させる。この態様では、ランプ支柱の間隔の距離をより大きくした場合、端壁４８及び５０は、照明器具に対して縦方向における光分布を大きくするために反射率を増大するように設計することができる。より詳しく述べると、図５は支柱間隔が短い場合を示しており、これに対して図６は支柱間隔が長い場合を示している。
【００３１】
これらの様々な反射器設計を利用できる融通性により、図１に示された必要な照明パターンについて最大のＣＵ（利用率）を達成することが可能であり、また遭遇する相異なる支柱間隔パターンについて最大の効率を提供する。また、前に述べたように、本発明による照明器具システムは、複数のＬＥＤ搭載、及び、随意選択により、様々なＬＥＤアレイ・レイアウトを持つことができる。この態様では、反射器壁４８及び５０に隣接したＰＣＢの両端部で放出される光は、一様性を改善するか又は支柱間隔をより大きくするかの必要性に応じて増大又は減少させることができる。同様な適応性が、前方又は後方へ発生される光を増大させるために存在する。手短に云えば、提供された照明器具システムは、非常に融通性があり、また改善されたＣＵを達成する。例えば、道路表面では少なくとも６０％のＣＵ値が達成され、また歩道表面を考慮する場合は９０％以上のＣＵ値が達成される。側壁反射器及び端壁反射器が相互作用するので、道路表面の制御された照明が達成される。これに関連して、ＬＥＤの星形アレイによって放出される光の少なくとも約４０％が非反射光として光学モジュールを出て行く。対照的に、端部アレイによって放出される光の少なくとも約５０％が反射光として光学モジュールを出て行くのに対し、最大５０％までの光が非反射光として出て行き、或る特定の実施形態では、約１％〜約２５％が非反射光として出て行く。
【００３２】
次に図７について説明すると、本発明による照明器具の更なる適応性が提供される。その上、照明器具は１つ又は複数の光モジュールを有することができると考えられる。図７では、４つの光モジュール３０が設けられている。これらのモジュールは図示のものと、反射器壁の予め選択された角度α、β及びφを持つ図４〜図６のものとの間で調整することにより、システム設計者によって想定された任意のタイプの光分布を達成することができると云う点で、システムの適応性が容易に認識されよう。
【００３３】
図７に示された照明器具設計の追加の態様では、複数の放熱フィン５２、及び電子回路モジュール室５６内に配置された電子回路モジュール５４を含む。
【００３４】
また更に、図８に示されているように、光モジュール５８は、或る状況において、例えば、歩道や他の交通路などが照明を必要としている場合において、後方照明のために配向が逆転されている（光学軸が反対向きにされている）。更に、ＨＩＤ照明器具では、典型的には、支柱の背後の歩道を含む周囲区域を照らし出す光源の配置が余り精密に制御されていない。自治体や住民は、これらの二次的な区域が照らされることに慣れてきている。そこで、所望通りに維持されている限り、本発明によるシステムは、良好に制御されていないＨＩＤ光分布の場合のようにＣＵを損なうことなく、その目標を達成することができる。モジュールが対称なＰＣＢ設計を使用しているので、この可逆機能が容易に達成される。
【００３５】
次に図９について説明すると、後方照明を達成するために逆向きの光モジュールを設けるのと異なり、後方反射率を増大するために反射性クリップ６０を反射器壁４６に設けることが可能であることに留意されたい。クリップは、反射器壁と圧縮嵌めを形成する大きさにすることができ、或いは反射器クリップは、照明器具ハウジングに固定するために取付けアーム６２を持つことができる。所望のレベルの反射率に応じて、クリップ６０は壁４６の縦方向寸法全体にわたって延在することができ、或いはその一部分のみを占めることができる。同様に、複数のクリップを用いることができる。
【００３６】
以上、本発明の模範的な実施形態を好ましい実施形態に関連して説明した。当業者が上述の詳しい説明を読んで理解したときに様々な修正及び変更を為し得ることは明らかである。本発明の模範的な実施形態は全てのこのような修正及び変更を含むものとして解釈されるものとする。
【符号の説明】
【００３７】
１０  照明器具
１２  ランプ支柱
１４  ハウジング
１６  第１のドア
１８  光学モジュール室
２０  第２のドア
２４  透明な又は半透明のカバー
２６  放熱フィン
３０  光学モジュール
３２  印刷回路板（ＰＣＢ）
３４  ＬＥＤ（発光ダイオード）
３６、３７  端部のＬＥＤアレイ
３８  中央のＬＥＤアレイ
４０  光学軸
４２  反射器
４４、４６  向かい合う細長の湾曲した縦方向の側壁
４８、５０  向かい合う湾曲した端壁
５２  放熱フィン
５４  電子回路モジュール
５６  電子回路モジュール室
５８  光モジュール
【図１Ａ】
0005923596.tif 000002
【図１Ｂ】
0005923596.tif 000003
【図１Ｃ】
0005923596.tif 000004
【図１Ｄ】
0005923596.tif 000005
【図１Ｅ】
0005923596.tif 000006
【図１Ｆ】
0005923596.tif 000007
【図１Ｇ】
0005923596.tif 000008
【図２】
0005923596.tif 000009
【図３】
0005923596.tif 000010
【図４Ａ】
0005923596.tif 000011
【図４Ｂ】
0005923596.tif 000012
【図４Ｃ】
0005923596.tif 000013
【図４Ｄ】
0005923596.tif 000014
【図５】
0005923596.tif 000015
【図６】
0005923596.tif 000016
【図７】
0005923596.tif 000017
【図８】
0005923596.tif 000018
【図９】
0005923596.tif 000019